(57)【要約】【課題】駆動機構を新規に追加せずにクリーニング手段と用紙整合手段を接触させ、用紙整合手段に付着した汚れをクリーニング手段で除去可能とする。【解決手段】所定枚数の用紙をシフトトレイ４に排紙後、用紙が全て取り除かれたかをトレイ紙有無センサ２３により検出する。用紙が取り除かれていたら、紙面センサ上１６がオンとなるまでシフトトレイ４を下降させ、紙面センサ上１６がオンとなったら下降を停止させる。紙面センサ上１６がオンとなったら、シフトトレイ４を上昇させ、紙面センサ上１６がオフとなってから所定距離だけ上昇後停止させる。シフトトレイ４上昇停止後、スポンジローラ１４を所定時間だけ回転駆動し、スポンジローラ１４の汚れを除去する。クリーニング後、枚数カウントをクリアし、シフトトレイ４を待機位置に移動させる。【選択図】図１
2011121740.tif 000002
【特許請求の範囲】
【請求項１】
トレイ上に排紙された用紙に対する用紙整合手段と、トレイ昇降手段を備えた後処理装置において、
前記トレイ内にクリーニング手段を設け、
前記トレイの上昇により前記クリーニング手段と前記用紙整合手段を接触させ、
前記トレイの下降により前記クリーニング手段と前記用紙整合手段を接触させないようにする配置とした
ことを特徴とする後処理装置。
【請求項２】
請求項１の後処理装置において、
前記クリーニング手段を、前記トレイの用紙積載面より下方に配置したことを特徴とする後処理装置。
【請求項３】
請求項１の後処理装置において、
前記クリーニング手段でクリーニングを実施する通紙枚数、クリーニング時の前記トレイの上昇距離、或いはクリーニング時の前記用紙整合手段の駆動時間の設定値を変更可能な設定変更手段を備えたことを特徴とする後処理装置。
【請求項４】
請求項１から３のいずれかの後処理装置において、
前記クリーニング手段を前記トレイに揺動自在に固定したことを特徴とする後処理装置。
【請求項５】
請求項１から３のいずれかの後処理装置において、
前記クリーニング手段を前記トレイに固定したことを特徴とする後処理装置
【請求項６】
請求項１から３のいずれかの後処理装置において、
前記クリーニング手段を、端面に凹凸のあるプラシ状体、あるいはスポンジ状ローラ体で構成したことを特徴とする後処理装置。
【請求項７】
請求項１から６のいずれかの後処理装置を備えたことを特徴とする画像形成装置。
【発明の詳細な説明】
【技術分野】
【０００１】
本発明は、画像形成装置に備える後処理装置と、これを備えた画像形成装置に関する。
【背景技術】
【０００２】
この種の後処理装置においては、画像形成装置から出力される用紙搬送時に、用紙上のトナーが用紙搬送系のローラと擦れ、ローラにトナーが転写されてしまい、またそのトナーが別の用紙に転写され、用紙の汚れが発生することがあるという問題がある。
【０００３】
その問題の対策として、搬送ローラに圧接させるようにローラ清掃部材を配し、汚れを除去する技術が知られている。
【０００４】
例えば特許文献１には、用紙搬送ローラに付着した紙粉や汚れを除去する用紙搬送ローラ清掃部材の構成を簡単にするために、一端部側が固定され、他端部側が自由端に構成された可撓性部材であって、可撓性により、自由端部が原稿や用紙等のシートを搬送する用紙搬送ローラに向けて押圧されるように配置され、自由端部の用紙搬送ローラ側の面に固定され用紙搬送ローラに圧接される圧接面を有するシート状清掃部材であって、圧接面の一端部側の端縁および他端部側の端縁の中間の圧接面中間部分が用紙搬送ローラに圧接するように配置された用紙搬送ローラ清掃部材が開示されている。
【発明の開示】
【発明が解決しようとする課題】
【０００５】
しかしながら、搬送ローラの汚れを常時除去する公知の機構では、スポンジ等の柔らかい材料で構成されたローラに対しては、スポンジローラが削れてしまって搬送力を失い、スタック不良を起こしやすい等の問題がある。
【０００６】
そこで本発明は、駆動機構を新規に追加することなく、クリーニング手段と用紙整合手段とを接触させ、用紙整合手段に付着した汚れをクリーニング手段にて除去でき、また常時接触ではなく、トレイ上昇時のみ接触させることで、クリーニング手段との接触による用紙整合手段の削れを抑制できる装置を提案することを目的とする。
【課題を解決するための手段】
【０００７】
本発明の後処理装置のうち請求項１に係るものは、トレイ上に排紙された用紙に対する用紙整合手段と、トレイ昇降手段を備えた後処理装置において、前記トレイ内にクリーニング手段を設け、前記トレイの上昇により前記クリーニング手段と前記用紙整合手段を接触させ、前記トレイの下降により前記クリーニング手段と前記用紙整合手段を接触させないようにする配置としたことを特徴とする。
【０００８】
すなわち、トレイ上の用紙に対する用紙整合手段とトレイ昇降手段を備えた後処理装置において、トレイ内にクリーニング手段を設け、トレイの上昇により前記クリーニング手段と前記用紙整合手段を接触させ、トレイの下降により前記クリーニング手段と前記用紙整合手段を接触させないようにするので、駆動機構を新規に追加することなく、クリーニング手段と用紙整合手段とを接触させ、用紙整合手段に付着した汚れをクリーニング手段にて除去する。また常時接触ではなく、トレイ上昇時のみ接触させることで、クリーニング手段との接触による用紙整合手段の削れを抑制する。
【０００９】
同請求項２に係るものは、請求項１の後処理装置において、
前記クリーニング手段を、前記トレイの用紙積載面より下方に配置したことを特徴とする。
【００１０】
すなわち、クリーニング手段をトレイの用紙積載面より下方に配置することで用紙とクリーニング手段との接触による、用紙への汚れの転写を防ぐ。
【００１１】
同請求項３に係るものは、請求項１の後処理装置において、
前記クリーニング手段でクリーニングを実施する通紙枚数、クリーニング時の前記トレイの上昇距離、或いはクリーニング時の前記用紙整合手段の駆動時間の設定値を変更可能な設定変更手段を備えたことを特徴とする。
【００１２】
すなわち、クリーニングを実施する通紙枚数、クリーニング時のトレイの上昇距離、或いはクリーニング時の用紙整合手段の駆動時間の設定値を、画像形成装置や後処理装置の操作手段により変更可能とすることで、クリーニング回数、クリーニング手段と用紙整合手段との接触圧、クリーニング時間を調整し、通紙条件に応じた適切なクリーニング条件を設定する。
【００１３】
同請求項４に係るものは、請求項１から３のいずれかの後処理装置において、
前記クリーニング手段を前記トレイに揺動自在に固定したことを特徴とする。
【００１４】
すなわち、クリーニング手段をトレイに揺動自在に固定することで、クリーニング手段と用紙整合手段との接触圧を適切にした状態でクリーニングする。
【００１５】
同請求項５に係るものは、請求項１から３のいずれかの後処理装置において、
前記クリーニング手段を前記トレイに固定したことを特徴とする。
【００１６】
すなわち、クリーニング手段をトレイに固定することで部品点数を削減し、部品費、組立費が低減される。
【００１７】
同請求項６に係るものは、請求項１から３のいずれかの後処理装置において、
前記クリーニング手段を、端面に凹凸のあるプラシ状体、あるいはスポンジ状ローラ体で構成したことを特徴とする。
【００１８】
すなわち、クリーニング手段を端面に凹凸のあるプラシ状、或いはスポンジ状ローラで構成することで、用紙整合手段が、凹凸のあるローラの場合に用紙整合手段の端部側面の汚れも適切にクリーニングし、また用紙整合手段の削れも抑制する。
【００１９】
同請求項７に係る画像形成装置は、請求項１から６のいずれかの後処理装置を備えたことを特徴とする。
【発明の効果】
【００２０】
本発明によれば、スポンジ等の柔らかい材料で構成されたローラに対しても、大幅な機構の変更もなく、スポンジローラの削れを抑制しつつ、トナー等による汚れを除去することができる。また、クリーニング手段の設置スペースを簡単に確保する効果も期待できるようになる。
【図面の簡単な説明】
【００２１】
【図１】本発明の実施対象となる後処理装置の全体構成を示す断面図（Ａ）と斜視図（Ｂ）
【図２】スポンジローラの汚れ除去機構の動作について示す図
【図３】本発明の実施例の動作を示すフロー図
【図４】スポンジローラの汚れ除去機構について示す図
【発明を実施するための形態】
【００２２】
以下本発明を実施するための形態を説明する。なお本発明は図示の後処理装置、画像形成装置への実施には限定されず、画像形成を行う種々の装置に適用可能である。
【００２３】
本発明は、トレイ上の用紙に対する用紙整合手段とトレイ昇降手段を備えた後処理装置において、トレイ内にクリーニング手段を設け、トレイの上昇によりクリーニング手段と用紙整合手段を接触させ、トレイの下降によりクリーニング手段と用紙整合手段を接触させないようにすることで、駆動機構を新規に追加することなく、クリーニング手段と用紙整合手段とを接触させ、用紙整合手段に付着した汚れをクリーニング手段にて除去でき、また常時接触ではなく、トレイ上昇時のみ接触させることで、クリーニング手段との接触による用紙整合手段の削れを抑制できるようにしている。
【００２４】
具体的な実施形態としては、スポンジローラに転写したトナー等の汚れ除去に際して、シフトトレイに所定枚数排紙後に、シフトトレイ用の用紙を除去した場合、シフトトレイを上昇させ、シフトトレイ上のクリーニング部材とスポンジローラを接触させる。その後、所定時間スポンジローラを駆動させ、スポンジローラ上の汚れを除去する。所定時間経過後、スポンジローラの駆動を停止し、シフトトレイを待機位置まで下降させる。
【００２５】
そのため、スポンジ等の柔らかい材料で構成されたローラに対しても、大幅な機構の変更もなく、スポンジローラの削れを抑制しつつ、トナー等による汚れを除去することができる。また、クリーニング手段の設置スペースを簡単に確保する効果も期待できる。
【００２６】
すなわち、シフトトレイ昇降により、スポンジローラとクリーニング手段を接触／非接触とすることで、常時接触させる構成に対し、スポンジローラの削れを抑制出来る。また接触／非接触の切り替えは元々存在する駆動手段を使用し、シフトトレイ上にクリーニング手段を設けることで、機械内部に設置スペースを確保する必要がなく、大幅な機構変更の必要がない。
【００２７】
さらに具体的には、トレイ上に排紙された用紙に対する用紙整合手段とトレイ昇降手段を備えた後処理装置において、トレイ内にクリーニング手段を設け、トレイの上昇により前記クリーニング手段と前記用紙整合手段を接触させ、トレイの下降により前記クリーニング手段と前記用紙整合手段を接触させないようにすることを特徴とし、駆動機構を新規に追加することなく、クリーニング手段と用紙整合手段とを接触させ、用紙整合手段に付着した汚れをクリーニング手段にて除去できる。また常時接触ではなく、トレイ上昇時のみ接触させることで、クリーニング手段との接触による用紙整合手段の削れを抑制できる。
【００２８】
またクリーニング手段はトレイの用紙積載面より下方に配置することで、用紙とクリーニング手段との接触による、用紙への汚れの転写を防ぐ。
【００２９】
またクリーニングを実施する通紙枚数、クリーニング時のトレイの上昇距離、或いはクリーニング時の用紙整合手段の駆動時間の設定値を、画像形成装置や後処理装置の操作手段により変更可能とすることで、クリーニング回数、クリーニング手段と用紙整合手段との接触圧、クリーニング時間を調整し、通紙条件に応じた適切なクリーニング条件を設定できる。
【００３０】
またクリーニング手段をトレイに揺動自在に固定することで、クリーニング手段と用紙整合手段との接触圧を適切にした状態でクリーニングできる。
【００３１】
さらに、クリーニング手段をトレイに固定することで部品点数を削減し、部品費、組立費も低減できる。また、クリーニング手段を端面に凹凸のあるプラシ状、或いはスポンジ状ローラで構成することで、用紙整合手段が、凹凸のあるローラの場合に用紙整合手段の端部側面の汚れも適切にクリーニングでき、また用紙整合手段の削れも抑制できる。
【実施例】
【００３２】
図１は、本発明の実施対象となる後処理装置の全体構成を示す図である。後処理装置１は、画像形成装置Ｘから搬送される用紙を受け入れた後、用紙にスティプル処理を行う場合、スティプル分岐爪６を駆動し、搬送路を下方に切り替え、スティプルトレイ５に用紙を所定枚数スタックした後、端綴じスティプラ８、あるいは中綴じスティプラ９にてスティプル処理を実施する。スティプル処理後、端綴じスティプル時は用紙束をシフトトレイ４に放出する。中綴じスティプイル時は折り部に用紙束を搬送し、折りプレート１１、折りローラ１２にて用紙束を折った後、紙折り部トレイ１０に用紙束を排紙する。
【００３３】
用紙にスティプル処理を行わない場合、プルーフトレイ２への排紙時はプルーフ切替爪３を駆動し、搬送路を上方に切り替え、プルーフトレイ２に用紙を排紙し、シフトトレイ４排紙時はそのまま搬送路を切り替えずシフトトレイ４に用紙を排紙する。搬送路上にはパンチユニット１３を備え、パンチ選択時はパンチ位置で用紙を一時停止し、パンチ処理を実施後に用紙搬送を再開する。
【００３４】
後述する用紙排紙部に対し、シフトトレイ４上にスタックされた用紙の最上面（紙無時はシフトトレイ４のスタック面）の高さを一定に保つように、フィラー１８と紙面センサ上１６，紙面センサ下１７の構成により位置検出し、リフトモータ１５により、シフトトレイ４を昇降させる。なおシフトトレイ４上には用紙の有無を検出する、紙有無センサ２３を備えている。
【００３５】
シフトトレイ４への用紙排紙部には、用紙を搬送・排紙する排紙ローラ２４とシフトトレイ４上の用紙を整合するのに使用するスポンジローラ（戻しローラ）１４を備えている。排紙ローラ２４とスポンジローラ１４はタイミングベルトにより連結され、排紙モータにより排紙ローラ２４を回転駆動すると、スポンジローラ１４も同方向に回転駆動する構成となっている。
【００３６】
またスポンジローラ１４を固定するレバーは、スポンジローラ揺動モータ２５により水平方向に可動する。用紙排紙中は機内に移動し、用紙排紙時に用紙をシフトトレイ４に掻き落とす（図２（Ａ））。用紙排紙後に機外に移動し、シフトトレイ４を上昇することで、用紙とスポンジローラを当接し、用紙をエンドフェンスに突き当てることで、用紙の整合を行う（図２（Ｂ））。なお図２は、スポンジローラの汚れ除去機構の動作について示す図である。
【００３７】
図３を参照して本実施例の動作を説明する。
ステップ１：所定枚数（ｎ枚）の用紙をシフトトレイ４に排紙後、シフトトレイ４上から用紙を全て取り除かれたかをトレイ紙有無センサ２３により検出する。
ステップ２：ステップ１にて用紙が取り除かれたことを検出したら、紙面センサ上１６がオンとなるまでシフトトレイ４を下降させる。紙面センサ上１６がオンとならなければ、ステップ７へ進み、シフトトレイ４が下降して紙面センサ上１６がオンとなったら下降を停止させる。
ステップ３：紙面センサ上１６がオンとなったら、シフトトレイ４を上昇させ、紙面センサ上１６がオフとなってから所定距離（αｍｍ）だけ上昇後停止させる。所定距離（αｍｍ）を長くするとスポンジローラ１４とクリーニング部材２１の接触圧が大きくなることで、汚れが落ち易くなる代わりに、スポンジローラ１４の削れは増すことになる。
ステップ４：シフトトレイ４上昇停止後、スポンジローラ１４を所定時間（βｍ秒）だけ回転駆動し、スポンジローラ１４の汚れを除去する。スポンジローラ１４を回転させる時間（βｍｓ）を長くすると、クリーニング時間が長くなることで汚れが落ち易くなる代わりに、スポンジローラ１４の削れは増す。
ステップ５：クリーニング後、枚数カウントをクリアし、シフトトレイ４を待機位置に移動させる。
ステップ６：所定枚数（ｎ枚）、所定距離（αｍｍ）、所定時間（βｍｓ）の設定値については画像形成装置の操作部にてユーザー又はカスタマーエンジニアが事前に変更可能なものとする。また、所定枚数（ｎ枚）に対し、スティプルした用紙１束を何枚とカウントするかについても同様に変更可能なものとする。
【００３８】
図４は、具体的なスポンジローラの汚れ除去機構について示す図である。
クリーニング部材２１はシフトトレイ４上の用紙に接触しないように、シフトトレイ４の用紙積載面に対し凹部を設け配置する。またクリーニング部材２１はスプリング２２を介し上下に揺動自在に固定することで、スポンジローラ１４に対し、適切な接触圧が掛かるようにしている。スポンジローラ１４に凹凸がある場合は、クリーニング部材２１は長さの異なるブラシローラとしてもよい。ブラシローラの代わりにスポンジローラ１４より柔らかく、クリーニング作用のある材質のローラとしてもよい。
【００３９】
図４（Ａ）に示すように、スポンジローラ１４の回転駆動と同期させてクリーニング部材２１を回転させ、摩擦負荷を下げることで、スポンジローラ１４の削れを抑制してもよいし、図４（Ｂ）に示すように、クリーニング部材２１ａを固定として構成を簡略化してもよい。
【符号の説明】
【００４０】
Ｘ：画像形成装置
１：後処理装置
２：プルーフトレイ
３：プルーフ切替爪
４：シフトトレイ
５：スティプルトレイ
６：スティプル分岐爪
８：端綴じスティプラ
９：中綴じスティプラ
１０：紙折り部トレイ
１１：折りプレート
１２：折りローラ
１３：パンチユニット
１４：スポンジローラ
１５：リフトモータ
１６：紙面センサ上
１７：紙面センサ下
１８：フィラー
２１：クリーニング部材
２１ａ：クリーニング部材
２２：スプリング
２３：紙有無センサ
２４：排紙ローラ
２５：スポンジローラ揺動モータ
【先行技術文献】
【特許文献】
【００４１】
【特許文献１】特開２００７−０３９１８３号公報
【図１】
2011121740.tif 000003
【図２】
2011121740.tif 000004
【図３】
2011121740.tif 000005
【図４】
2011121740.tif 000006